(57)【要約】【課題】  既存設備をそのまま活かして二重配管に変更する外管を容易に付設施工できる後付用外管を提供する。【解決手段】  円筒で形成する円の中心線を通る面で二分割した形状の樋状部材２１とする。当該同一の樋状部材２１の端面２２、２３同士を突合して当着し、円筒空間を形成して実管を被包する。一方の端面２２の外側を互いに開閉可能に連結６し、対向する他方の端面２３の外側を連結部材７で止着可能にする。前記樋状部材２１１の内面に実管を挟持するセンターリング分割材２４を対応して装着する。形成した直線部外管２の端部を把持して継ぎ手部外管３、４、５を形成する。【選択図】  図２
2014169713.tif 000002
【特許請求の範囲】
【請求項１】
円筒で形成する円の中心線を通る面で二分割した形状の樋状部材であって、当該同一の樋状部材の端面同士を突合して当着し、円筒空間を形成して実管を被包するにあたり、一方の端面の外側を互いに開閉可能に連結したこと、対向する他方の端面の外側を連結部材で止着可能にしたこと、前記樋状部材の内面に実管を挟持するセンターリング分割材を対応して装着したこと、形成した直線部外管の端部を把持して継ぎ手部外管を形成したことを特徴とする二重配管の後付用外管。
【請求項２】
継ぎ手部外管の曲部は屈曲した内側端面の外方にリブを形成し、重合した前記リブ同士を止着したことを特徴とする請求項１記載の二重配管の後付用外管。
【請求項３】
樋状部材は硬質塩化ビニル樹脂であること、継ぎ手部外管の開閉可能に連結する開閉部材及び止着可能とする連結部材をタッピングネジで各部材へ取り付けたことを特徴とする請求項１又は２記載の二重配管の後付用外管。
【請求項４】
樋状部材は硬質塩化ビニル樹脂であること、開閉部材が軟質塩化ビニル樹脂製の接着シートであること、継ぎ手部外管の止着可能とする連結部材をタッピングネジで各部材へ取り付けたことを特徴とする請求項１又は２記載の二重配管の後付用外管。
【請求項５】
樋状部材の端面同士の突合面に、パッキン材を介在したことを特徴とする請求項１乃至４のいずれかに記載の二重配管の後付用外管。
【発明の詳細な説明】
【技術分野】
【０００１】
本発明は、例えば化学溶液や処理廃液等を搬送する配管の構造に関するものであり、詳しくは配管を二重管とし、実際に液が通る実管を被包する外管ものである。
【背景技術】
【０００２】
化学溶液や各種処理廃液等の装置間の搬送には配管を施設して行っているのであり、その場合、管を二重として実際に液が通る実管に液漏水が生じても被包する外管によって外部への流出を防止するのが好ましく、又実管の保護管として安全上からも要請されるところである。
【０００３】
そこで、法律等によって規制をしても、新しく施設する設備については、前記二重管とした配管の設計施工を行えば良いけれど、既存の設備を廃棄して即座に再施工することは、諸般の事情で困難な企業もあるのである。
【先行技術文献】
【特許文献】
【０００４】
【特許文献１】特開２００１−２００９８０号公報
【特許文献２】特開２００４−１０８５６８号公報
【発明の概要】
【発明が解決しようとする課題】
【０００５】
上記の様に既存設備の改廃が困難な場合には、その設備をそのまま活かして外管を付設する方法が考えられる。
本発明は斯かる点に着目し、二重配管に変更するための外管を容易に付設施工できる後付用外管を提供せんとするものである。
【課題を解決するための手段】
【０００６】
本発明に係る請求項１の二重配管の後付用外管は、円筒で形成する円の中心線を通る面で二分割した形状の樋状部材であって、当該同一の樋状部材の端面同士を突合して当着し、円筒空間を形成して実管を被包するにあたり、一方の端面の外側を互いに開閉可能に連結したこと、対向する他方の端面の外側を連結部材で止着可能にしたこと、前記樋状部材の内面に実管を挟持するセンターリング分割材を対応して装着したこと、形成した直線部外管の端部を把持して継ぎ手部外管を形成したことを特徴とするものである。
【０００７】
請求項２の二重配管の後付用外管の発明は、請求項１の発明において、継ぎ手部の曲部は屈曲した内側端面の外方にリブを形成し、重合した前記リブ同士を止着したことを特徴とするものである。
【０００８】
請求項３の二重配管の後付用外管の発明は、請求項１又は２の発明において、樋状部材は硬質塩化ビニル樹脂であること、継ぎ手部外管の開閉可能に連結する開閉部材及び止着可能とする連結部材をタッピングネジで各部材へ取り付けたことを特徴とするものであるとする。
【０００９】
請求項４の二重配管の後付用外管の発明は、請求項１又は２の発明において、樋状部材は硬質塩化ビニル樹脂であること、開閉部材が軟質塩化ビニル樹脂製の接着シートであること、継ぎ手部外管の止着可能とする連結部材をタッピングネジで各部材へ取り付けたことを特徴とするものである。
【００１０】
請求項５の二重配管の後付用外管の発明は、請求項１乃至４のいずれかの発明において、樋状部材の端面同士の突合面に、パッキン材を介在したことを特徴とするものである。
【発明の効果】
【００１１】
請求項１の発明の効果は、同一の樋状部材の端面同士を突合当着し、円筒空間を形成して実管を被包するにあたり、一方の端面の外側を互いに開閉可能に連結したこと、対向する他方の端面の外側を連結部材で止着可能にしたため、樋状部材の端面同士を突合当着し円筒空間を形成し、簡単容易に実管を被包することができる効果を有する。
【００１２】
また、樋状部材の内面に実管を挟持するセンターリング分割材を対応して装着してあるから、樋状部材の端面同士を突合当着した円筒空間の中央に実管を位置決めして被包することができる効果を有する。
【００１３】
さらに、形成した継ぎ手部外管と直線部外管の連結は、形成した直線部外管の端部を把持して継ぎ手部外管を形成することで、容易に施工することができる効果を有する。
【００１４】
請求項２の発明の効果は、請求項１の効果に加えて、継ぎ手部外管の曲部は屈曲した内側端面の外方にリブを形成し、重合した前記リブ同士を止着したものであるから、平面であるリブの止着となり、止着部材の選択も多岐で簡便な作業になる共に、曲部端面を全面的に止着し強固な結合となる効果を有する。
【００１５】
請求項３の発明の効果は、請求項１又は２の効果に加えて、樋状部材は硬質塩化ビニル樹脂であるから、軽量で取り扱いが容易で、強度及び耐久性も有する。
そして、継ぎ手部外管の開閉可能に連結する開閉部材及び止着可能とする連結部材をタッピングネジで各部材へ取り付けたため、継ぎ手部外管による直線部外管の端部の把持を支障なく行える効果を有する。
【００１６】
請求項４の発明の効果は、請求項１又は２の効果に加えて、樋状部材は硬質塩化ビニル樹脂であるから、軽量で取り扱いが容易で、強度及び耐久性も有する。
また、継ぎ手部外管の開閉可能な連結を、軟質塩化ビニル樹脂製の接着シートで簡単に行なえ、同じ材料で接着の相性も良好である。
そして、継ぎ手部外管の止着可能とする連結部材をタッピングネジで各部材へ取り付けたため、継ぎ手部外管による直線部外管の端部の把持を支障なく行える効果を有する。
【００１７】
請求項５の発明の効果は、請求項１乃至４の効果に加えて、樋状部材の端面同士の突合面にパッキン材を介在したことによって、結合部分の水密性の確保と維持を行う効果を有する。
【図面の簡単な説明】
【００１８】
【図１】本発明の一実施の形態を示す平面図である。
【図２】本発明の一実施の形態を示す直線部外管の斜視図である。
【図３】本発明の一実施の形態を示す直線部外管の端面図である。
【図４】本発明の一実施の形態を示す継ぎ手部外管の開いた状態の斜視図である。
【図５】本発明の一実施の形態を示す他の継ぎ手部外管の開いた状態の斜視図である。
【図６】本発明の一実施の形態を示す他の継ぎ手部外管の正面図である。
【発明を実施するための形態】
【００１９】
本発明の実施の形態を図面に基づいて説明する。
図１は本発明の一実施の形態を示す平面図であり、既設されている実管１に対して、外管を被包して二重配管としたものである。
外管は直線部の直線部外管２と継ぎ手部の継ぎ手部外管で構成され、継ぎ手部外管の直線継ぎ手部外管３、エルボ部外管４及び分岐部外管５で、直線部外管２を連係している。
【００２０】
各外管２、３、４、５は、硬質塩化ビニル樹脂で成型され、透視可能となっている。
円筒を形成する円の中心線を通る面で二分割した形状の樋状部材とし、当該一対の樋状部材の一方の端面の外側を互いに開閉可能に連結し、対向する他方の端面を外側面の連結部材で止着可能にし、円筒を形成するものである。
【００２１】
直線部外管２は図２及び図３に一実施の形態を示すように、円筒を形成する円の中心線を通る面で二分割した形状の樋状部材２１，２１で構成し、一方の端面２２、２２の外側を互いに開閉可能に蝶番６で連結し、対向する他方の端面２３、２３を外側面の締付具７で止着可能としてある。
【００２２】
蝶番６は樋状部材２１、２１の一方の端面近傍の外側にボルト・ナット１０で取り付けられ、また、締付具７は公知の具を選択したもので、フック片７１及び引掛け片７２がボルト・ナット１０で夫々樋状部材２１、２１の他方の端面２３、２３の近傍の外側面に取り付けられている。
【００２３】
また、突合する端面２２、２３にはパッキン材８を貼着して水密性が確保され、さらに、樋状部材２１、２１の内面に実管１を挟持するセンターリング分割材２４が対応して適当数装着してあり、当該センターリング分割材２４には凹欠２５が形成され、形成した円筒内に被包した実管１を挟持するものとなっている。
【００２４】
図４は直線継ぎ手部外管３に一実施の形態を示し、円筒を形成する円の中心線を通る面で二分割した形状の樋状部材３１，３１で構成し、一方の端面３２、３２の外側面を互いに開閉可能に軟質塩化ビニル樹脂製の接着シート１１で連結し、対向する他方の端面３３、３３を外側面の締付具７で止着可能としてあり、形成される円筒体は前記直線部外管２を把持できる内径を有し、中間に仕切り用の突起３４が形成されている。
【００２５】
直線継ぎ手部外管３は内周面で直線部外管２を把持するため、締付具７をタッピングネジ９で樋状部材３１，３１へ螺着すると共に、先部が内部に突出しない長さのタッピングネジ９を選択する。
また、突合する端面にはパッキン材８を貼着し、水密性が確保されている。
【００２６】
図５は、エルボ部外管４の一実施の形態を示し、９０度の角度方向へ湾曲した樋状部材４１、４１で構成されている。
湾曲した両開口端の近傍の直線部４２、４２は、前記直線部外管２を把持できる内径を有する膨出筒を形成する。
【００２７】
湾曲した外側の端面４３において、一方の直線部４２Ａの外側面を互いに開閉可能に軟質塩化ビニル樹脂製の接着シート１１で連結し、他方の直線部４２Ｂの外側を締付具７で止着可能としてあり、さらに、湾曲した内側の端面４４の外方にリブ４５を形成し、重合した前記リブ４５、４５同士をボルト・蝶ナット６１で止着し、形成した円筒内に実管１を被包するものである。
【００２８】
蝶ナット６１で止着することで、締付具を使用せずに手作業を行える利点があり、前記直線継ぎ手部外管３と同様に、締付具７をタッピングネジ９で樋状部材４１，４１へ螺着すると共に、先部が内部に突出しない長さのタッピングネジ９を選択する。
また、突合する端面４３、４４にはパッキン材８を貼着し、水密性が確保されている。
【００２９】
図６は、分岐部外管５の一実施の形態を示し、Ｔ字の樋状部材５１、５１で構成されている。
直線部５２の両開口端の近傍及び分岐部５３の開口端の近傍は、前記直線部外管２を把持できる内径を有する膨出筒を形成する。
【００３０】
直線部５２の外側の端面５４の外側面を互いに開閉可能に軟質塩化ビニル樹脂製の接着シート１１で連結し、直線部５２の内側の端面５５と分岐部５３の端面と屈曲した外方にリブ５６、５６を形成し、重合した前記リブ５６、５６同士をボルト・蝶ナット６１で止着し、形成した円筒内に実管１を被包するものである。
【００３１】
前記直線継ぎ手部外管３と同様に、締付具７をタッピングネジ９で樋状部材５１、５１へ螺着すると共に、先部が内部に突出しない長さのタッピングネジ９を選択する。
また、突合する端面５４、５５にはパッキン材８を貼着し、水密性が確保されている。
【００３２】
以上の実施の形態では、開閉部材に蝶番６又は軟質塩化ビニル樹脂製の接着シート１１を適宜選択して使用しても良い。
連結を、軟質塩化ビニル樹脂製の接着シートで簡単に行なえ、同じ材料で接着の相性も良好である。
【００３３】
実管１を被包して形成した直線部外管２と継ぎ手部外管３、４、５との連結は、形成した直線部外管２の端部を把持して継ぎ手部外管３、４、５を形成することで、容易に施工することができ、必要であれば接着剤により連結を強化することもできる。
【００３４】
以上のように、本発明を図面に基づいて説明した実施の形態における具体的構成は一例であり、同様の作用効果を得られる他の構成又は手段を排除するものではない。
【符号の説明】
【００３５】
１            実管
２            直線部外管
３            直線継ぎ手部外管
４            エルボ部外管
５            分岐部外管
６            蝶番
７            締付具
８            パッキン材
９            タッピングネジ
１０          ボルト・ナット
１１          接着シート
２１、３１、４１、５１  樋状部材
２２、２３、３２、３３、４３、４４、５４、５５  端面
２４        センターリング分割材
２５        凹欠
３４        仕切り用の突起
４２、５２  直線部
４５、５６  リブ
５３        分岐部
６１        ボルト・蝶ナット
７１        フック片
７２        引掛け片
【図１】
2014169713.tif 000003
【図２】
2014169713.tif 000004
【図３】
2014169713.tif 000005
【図４】
2014169713.tif 000006
【図５】
2014169713.tif 000007
【図６】
2014169713.tif 000008